(57)【要約】  本発明は、本体（２）とコック（３）とを備える医療用活栓（１）である。本体（２）は、筒状部（２１）と、上流ポート（２２）と、下流ポート（２３）と、側管用ポート（２４）とを有する。コック（３）は、円筒部（３１）と、ハンドル（３２）とを有する。円筒部（３１）には、その外周面に溝部（３３）が設けられている。溝部（３３）の内部には、外周面の一部として壁部（３４ａ）、（３４ｂ）が存在する。
2012133100.tif 000002
【特許請求の範囲】
【請求項１】
本体とコックとを備える医療用活栓であって、
前記本体は、
筒状部と、
前記筒状部の外周に設けられた上流ポートおよび下流ポートと、
前記上流ポートと前記下流ポートとの間に設けられた側管用ポートと、を有しており、
前記コックは、
前記本体の筒状部に回転自在に収容された円筒部と、
前記円筒部を回転操作するためのハンドルと、を有しており、
前記円筒部は、外周面に、前記コックが基準位置にある状態において、前記上流ポートと前記側管用ポートとを連通する第１流路溝と、前記側管用ポートと前記下流ポートとを連通する第２流路溝と、を有し、
前記円筒部は、前記コックを前記基準位置から所定量回転させた際に、前記上流ポート、前記側管用ポートおよび前記下流ポートの開口を塞ぐ壁部を有し、
前記第１流路溝および前記第２流路溝は、前記壁を迂回して形成され、
前記コックが前記基準位置にある状態において、前記上流ポートと、前記側管用ポートと、前記下流ポートとが連通する
ことを特徴とする医療用活栓。
【請求項２】
前記第１流路溝は、前記上流ポートと連通する上流ポート対応溝と、前記側管用ポートと連通する前記第１側管用ポート対応溝と、前記上流ポート対応溝と前記第１側管用ポートとを連通する第１円周溝と、を有し、
前記第２流路溝は、前記下流ポートと連通する下流ポート対応溝と、前記側管用ポートと連通する前記第２側管用ポート対応溝と、前記第２側管用ポート対応溝と前記下流ポート対応溝とを連通する第２円周溝と、を有する
ことを特徴とする請求の範囲第１項に記載の医療用活栓。
【請求項３】
前記コックの円筒部の前記第１側管用ポート対応溝と前記第２側管用ポート対応溝との間に、前記上流ポートからの薬液を前記本体の側管用ポート側に誘導する第１リブが設けられている
ことを特徴とする請求の範囲第２項に記載の医療用活栓。
【請求項４】
前記本体の側管用ポート内に、前記コックが前記基準位置にあるときに前記第１リブの延長上に位置し、前記上流ポートからの薬液を前記側管用ポート側にさらに誘導する第２リブが設けられている
ことを特徴とする請求の範囲第３項に記載の医療用活栓。
【請求項５】
前記壁部は、前記上流ポート対応溝と前記第１側管用ポート対応溝との間に位置する第１壁部と、前記第２側管用ポート対応溝と前記下流ポート対応溝との間に位置する第２壁部と、前記下流ポート対応溝と前記上流ポート対応溝との間に位置する第３壁部と、を有する
ことを特徴とする請求の範囲第２項に記載の医療用活栓。
【請求項６】
前記第１円周溝は、前記円筒部の一端側および他端側に前記第１壁部を迂回しており、
前記第２円周溝は、前記円筒部の一端側および他端側に前記第２壁部を迂回している
ことを特徴とする請求の範囲第５項に記載の医療用活栓。
【請求項７】
前記第１円周溝は、前記円筒部の一端側に前記第１壁部を迂回しており、
前記第２円周溝は、前記円筒部の他端側に前記第２壁部を迂回している
ことを特徴とする請求の範囲第５項に記載の医療用活栓。
【発明の詳細な説明】
【技術分野】
【０００１】
本発明は、患者に薬液を注入するときに使用する医療用活栓に関する。
【背景技術】
【０００２】
従来から、医療現場では、輸液セットなどにおいて、三方活栓などの医療用活栓が多く用いられている。例えば、三方活栓を用いれば、輸液セットで所定の薬液を患者に注入している最中に、別の種類の薬液を容易に混合注入することができる。【０００３】
また、医療用活栓としては、内部に細菌が侵入しない構造が要求される。特許文献１には、隔壁によって外部雰囲気と分岐管内部を遮断することで、側注口からの細菌の侵入を防止することができる医療用活栓が開示されている。
【先行技術文献】
【特許文献】
【０００４】
【特許文献１】特開２００３−１５９３３６号公報
【発明の概要】
【発明が解決しようとする課題】
【０００５】
しかしながら、特許文献１の医療用活栓では、側注口内部に薬液が滞留するという問題がある。なお、側注口から注入する薬液には、様々な種類がある。例えば、側注口から、昇圧用薬液を注入して、その数時間後に降圧用薬液を注入する場合を考える。側注口から昇圧用薬液を注入し、側注口内部に滞留している昇圧用薬液が少量であったとしても、その数時間後に注入した降圧用薬液によってその滞留していた昇圧用薬液が押し出されると、不都合を生じることがある。したがって、医療用活栓の内部に滞留する薬液の量は、少しでも減らすことが望ましい。【０００６】
また、従来の三方活栓では、薬液の流れがあるときに、コックを４５度程度回転させることで流路の一部または全部を止めることができるものが多いので、そのような操作性を低下させることは好ましくない。【０００７】
そこで、本発明は、このような問題に鑑みてなされたものであり、内部における薬液の滞留を従来よりも減らすとともに、従来と同様の操作性を維持する医療用活栓を提供することを課題とする。
【課題を解決するための手段】
【０００８】
前記課題を解決するために、本発明は、本体とコックとを備える医療用活栓であって、前記本体は、筒状部と、前記筒状部の外周に設けられた上流ポートおよび下流ポートと、前記上流ポートと前記下流ポートとの間に設けられた側管用ポートと、を有しており、前記コックは、前記本体の筒状部に回転自在に収容された円筒部と、前記円筒部を回転操作するためのハンドルと、を有しており、前記円筒部は、外周面に、前記コックが基準位置にある状態において、前記上流ポートと前記側管用ポートとを連通する第１流路溝と、前記側管用ポートと前記下流ポートとを連通する第２流路溝と、を有し、前記円筒部は、前記コックを前記基準位置から所定量回転させた際に、前記上流ポート、前記側管用ポートおよび前記下流ポートの開口を塞ぐ壁部を有し、前記第１流路溝および前記第２流路溝は、前記壁を迂回して形成され、前記コックが前記基準位置にある状態において、前記上流ポートと、前記側管用ポートと、前記下流ポートとが連通することを特徴とする。
また、本発明は、前記第１流路溝が、前記上流ポートと連通する上流ポート対応溝と、前記側管用ポートと連通する前記第１側管用ポート対応溝と、前記上流ポート対応溝と前記第１側管用ポートとを連通する第１円周溝と、を有し、前記第２流路溝が、前記下流ポートと連通する下流ポート対応溝と、前記側管用ポートと連通する前記第２側管用ポート対応溝と、前記第２側管用ポート対応溝と前記下流ポート対応溝とを連通する第２円周溝と、を有することが好ましい。
また、本発明では、例えば、前記第１円周溝が、前記円筒部の一端側および他端側に前記第１壁部を迂回しており、前記第２円周溝が、前記円筒部の一端側および他端側に前記第２壁部を迂回しているようにすることができる。
また、本発明では、例えば、前記第１円周溝が、前記円筒部の一端側に前記第１壁部を迂回しており、前記第２円周溝が、前記円筒部の他端側に前記第２壁部を迂回しているようにすることができる。【０００９】
このように、コックの円筒部の外周面に前記した各溝を設けることで、コックが基準位置のとき、上流ポートから下流ポートに流れる薬液が側管用ポートも経由するようになり、医療用活栓内部（特に側管用ポート内）の薬液の滞留を従来よりも減らすことができる。【００１０】
また、本発明は、前記コックの円筒部の前記第１側管用ポート対応溝と前記第２側管用ポート対応溝との間に、前記上流ポートからの薬液を前記本体の側管用ポート側に誘導する第１リブが設けられていることが好ましい。【００１１】
これにより、上流ポートからの薬液が第１リブによってさらに側管用ポート側に誘導され、側管用ポート内の薬液の滞留をさらに減らすことができる。【００１２】
また、本発明は、前記本体の側管用ポート内に、前記コックが前記基準位置にあるときに前記第１リブの延長上に位置し、前記上流ポートからの薬液を前記側管用ポート側にさらに誘導する第２リブが設けられていることが好ましい。【００１３】
これにより、上流ポートからの薬液が、第１リブの延長に位置する第２リブによってさらに側管用ポート側に誘導され、側管用ポート内の薬液の滞留をさらに減らすことができる。【００１４】
また、本発明は、前記壁部が、前記上流ポート対応溝と前記第１側管用ポート対応溝との間に位置する第１壁部と、前記第２側管用ポート対応溝と前記下流ポート対応溝との間に位置する第２壁部と、前記下流ポート対応溝と前記上流ポート対応溝との間に位置する第３壁部と、を有することが好ましい。【００１５】
これにより、３つの壁部によって、コックを少し回転させれば流路の一部または全部を止めることができるようになっているので、従来と同様の操作性を維持することができる。
【発明の効果】
【００１６】
本発明によれば、内部における薬液の滞留を無くすとともに、従来と同様の操作性を維持する医療用活栓を提供することができる。
【図面の簡単な説明】
【００１７】
【図１】本実施形態の医療用活栓の構成を示す図で、（ａ）は本体の斜視図であり、（ｂ）は２流路タイプのコックの斜視図であり、（ｃ）はそのコックの溝部展開図である。
【図２】２流路タイプのコックを用いて３ポートとも開通している場合に上流ポートから側管用ポートを経由して下流ポートに流通する薬液の流れについて、（ａ）はその流れの前半の説明図であり、（ｂ）はその流れの後半の説明図であり、（ｃ）は（ｂ）のＡ−Ａ断面図である。
【図３】２流路タイプのコックを用いて側管用ポートと下流ポートだけが開通している場合について、（ａ）は上流ポートからの薬液が医療用活栓の内部を流れないことの説明図であり、（ｂ）は注入された側管用ポートから下流ポートに流通する薬液の流れの説明図であり、（ｃ）は（ｂ）のＢ−Ｂ断面図である。
【図４】２流路タイプのコックを用いてそのコックを４５度程度回転させて薬液の流れを止めた場合について、（ａ）は上流ポート側の状態の説明図であり、（ｂ）は下流ポート側の状態の説明図であり、（ｃ）は（ｂ）のＣ−Ｃ断面図である。
【図５】本実施形態の医療用活栓の構成としての１流路タイプのコックの斜視図であり、（ｂ）はそのコックの溝部展開図である。
【図６】１流路タイプのコックを用いて３ポートとも開通している場合に上流ポートから側管用ポートを経由して下流ポートに流通する薬液の流れについて、（ａ）はその流れの前半の説明図であり、（ｂ）はその流れの後半の説明図であり、（ｃ）は（ｂ）のＤ−Ｄ断面図である。
【図７】１流路タイプのコックを用いて側管用ポートと下流ポートだけが開通している場合について、（ａ）は上流ポートからの薬液が医療用活栓の内部を流れないことの説明図であり、（ｂ）は注入された側管用ポートから下流ポートに流通する薬液の流れの説明図であり、（ｃ）は（ｂ）のＥ−Ｅ断面図である。
【図８】１流路タイプのコックを用いてそのコックを４５度程度回転させて薬液の流れを止めた場合について、（ａ）は上流ポート側の状態の説明図であり、（ｂ）は下流ポート側の状態の説明図であり、（ｃ）は（ｂ）のＦ−Ｆ断面図である。
【図９】（ａ）は本体の変形例として側管用ポート内にリブを設けた本体の斜視図であり、（ｂ）はその本体と図５に示すコックを組み合わせた医療用活栓をコックのハンドル側から見た側面図であり、（ｃ）は（ｂ）のＧ−Ｇ断面図である。
【発明を実施するための形態】
【００１８】
以下、本発明を実施するための形態（以下、実施形態と称する。）について、図面を参照（言及図以外の図面も適宜参照）しながら説明する。なお、本実施形態において、薬液には、完全な液体状のものだけではなく、コロイド粒子などの固体を含んでいても全体として液体状となっているものも含まれるものとする。
【００１９】
図１（ａ）（ｂ）に示すように、本実施形態の医療用活栓１は、本体２とコック３とを備えて構成される。なお、本体２やコック３の材質は、例えば、ポリカーボネート、ポリプロピレン、ポリアクリルアミド、ポリエチレンテレフタレート等の合成樹脂であればよいが、それらに限定されない。なお、コック３として、まず２流路タイプ（詳細は後記）のものについて説明し、次に１流路タイプ（詳細は後記）のものについて説明する。
【００２０】
図１（ａ）に示すように、本体２は、継続的に薬液を流通させる流路を内部に有する上流ポート２２および下流ポート２３と、上流ポート２２と下流ポート２３との間に配置されコック３の円筒部３１（後記）を内部に回転自在に収容する筒状部２１と、筒状部２１に設けられ上流ポート２２および下流ポート２３を流通する薬液以外の薬液を受け入れる流路を内部に有する側管用ポート２４と、を有する。なお、医療用活栓１の使用時には、本体２の側管用ポート２４が開放状態のままということはなく、例えば、キャップ補助部材２５ａとともに弁２７を保持したキャップ２５が取り付けられる（図２（ａ）（ｃ）参照）。
【００２１】
図１（ｂ）（ｃ）に示すように、コック３は、ユーザが回転操作するハンドル３２と、本体２の筒状部２１に回転自在に収容される円筒部３１と、円筒部３１の外周面に沿って設けられた溝部３３と、を有している。
【００２２】
溝部３３は、縦溝３３ａ（第１流路溝、上流ポート対応溝）、縦溝３３ｂ（第１流路溝、第１側管用ポート対応溝）、縦溝３３ｃ（第２流路溝、第２側管用ポート対応溝）、縦溝３３ｄ（第２流路溝、下流ポート対応溝）と、円周溝３３ｅ（第１流路溝、第１円周溝）、円周溝３３ｆ（第１流路溝、第１円周溝）、円周溝３３ｇ（第２流路溝、第２円周溝）、円周溝３３ｈ（第２流路溝、第２円周溝）と、中央溝３３ｉ（第１流路溝、第２流路溝、第１側管用ポート対応溝、第２側管用ポート対応溝）とから構成され、全体として略「８」の字形状となっている。
【００２３】
つまり、縦溝３３ａと縦溝３３ｂとの間の外周面が少なくとも上流ポート２２を閉塞できる大きさおよび位置の壁部３４ａ（第１壁部）となるように、円周溝３３ｅ、３３ｆは、円筒部３１の軸方向の両側（一端側および他端側）に迂回して配置される。
同様に、縦溝３３ｃと縦溝３３ｄとの間の外周面が少なくとも下流ポート２３を閉塞できる大きさおよび位置の壁部３４ｂ（第２壁部）となるように、円周溝３３ｇ、３３ｈは、円筒部３１の軸方向の両側（一端側および他端側）に迂回して配置される。
【００２４】
したがって、前記した条件を満たす壁部３４ａおよび壁部３４ｂを形成できるのであれば、各溝は、直線状でなくても、一部もしくは全部が曲線状であってもよい。なお、円筒部３１の外周面において、溝部３３のない半周部分には壁部３４ｃ（第３壁部）が形成されている。
【００２５】
また、本実施形態では、上流ポート２２の流路端２２１（図２（ａ）参照）の断面積と、下流ポート２３の流路端２３１（図２（ｂ）参照）の断面積は、ほぼ同じである。したがって、コック３の回転によって、壁部３４ａは上流ポート２２だけでなく下流ポート２３も閉塞することができ、壁部３４ｂは下流ポート２３だけでなく上流ポート２２も閉塞することができる。
【００２６】
また、中央溝３３ｉには、上流ポート２２からの薬液を側管用ポート２４側に、より誘導するリブ(第１リブ）が設けられている。また、このリブは中央溝３３ｉを浅く形成することで実現してもよい。以下、「中央溝３３ｉ」とは、他の溝よりも浅く形成された溝を指すものとする。
【００２７】
次に、医療用活栓１の内部を流通する薬液の流れについて説明する。まず、図２を参照して、３ポート（上流ポート２２、下流ポート２３および側管用ポート２４）とも開通（ポートと溝が連通）している場合について説明する。本体２とコック３が図２のような位置関係のときに３ポートとも開通となる。なお、以下、本体２に対するこのときのコック３の相対位置（所定の回転位置）を「基準位置」と称する（図５〜図９でも同様）。また、この位置から、コック３の長手部分が上流ポート２２側に移動するコック３の回転方向を「反時計回り」と称し、コック３の長手部分が下流ポート２３側に移動するコック３の回転方向を「時計回り」と称する（図５〜図９でも同様）。
【００２８】
コック３が基準ポジションの場合、図２（ａ）（ｃ）に示すように、上流ポート２２を筒状部２１に向かって流れる薬液は、流路端２２１から縦溝３３ａに入り、そこから左右の２流路に分かれ、円周溝３３ｅ、３３ｆを進み、縦溝３３ｂで合流し、中央溝３３ｉから側管用ポート２４に進入する。
【００２９】
続いて、図２（ｂ）（ｃ）に示すように、薬液は、側管用ポート２４から縦溝３３ｃに入り、そこから左右の２流路に分かれ、円周溝３３ｇ、３３ｈを進み、縦溝３３ｄで合流し、流路端２３１から下流ポート２３に入る。
【００３０】
このように、上流ポート２２から下流ポート２３に流れる薬液が側管用ポート２４内も経由するようにしたことで、医療用活栓１内部（特に側管用ポート２４内）の薬液の滞留を従来よりも減らすことができる。
また、上流ポート２２からの薬液が、浅い中央溝３３ｉによって側管用ポート２４側に、より誘導されることで、側管用ポート２４内の薬液の滞留をさらに減らすことができる。
【００３１】
次に、図３を参照して、側管用ポートと下流ポートだけが開通している場合の薬液の流れについて説明する。
【００３２】
コック３を基準位置から反時計回りに９０度回転させた場合（第２の状態）、図３（ａ）（ｃ）に示すように、上流ポート２２では、流路端２２１が壁部３４ｃで閉塞されているため、薬液が流れない。一方、図３（ｂ）（ｃ）に示すように、側管用ポート２４の内部に入った薬液は、縦溝３３ａに入り、そこから左右の２流路に分かれ、円周溝３３ｅ、３３ｆを進み、縦溝３３ｂで合流し、流路端２３１から下流ポート２３に入る。
【００３３】
なお、コック３が図３に示す回転位置の場合、側管用ポート２４から入れた薬液が側管用ポート２４の内部に少し滞留することもありえるが、それは本実施形態で解決すべき課題ではない。本実施形態で解決すべき課題は、コック３が図２に示す回転位置（基準位置）の場合に、側管用ポート２４から入れた薬液が側管用ポート２４の内部に滞留することである（図５〜図９についても同様）。
【００３４】
次に、図４を参照して、コック３を時計回りに４５度程度回転させて薬液の流れを止める場合について説明する。
【００３５】
コック３を基準位置から時計回りに４５度程度回転させた場合（第６の状態）、図４（ａ）（ｃ）に示すように、上流ポート２２では、流路端２２１が壁部３４ａで閉塞されているため、薬液が流れない。また、図４（ｂ）（ｃ）に示すように、下流ポート２３でも、流路端２３１が壁部３４ｃで閉塞されているため、薬液が流れない。また、図４（ａ）〜（ｃ）に示すように、側管用ポート２４でも、流路端２４１が壁部３４ｂで閉塞されているため、薬液が流れない。つまり、コック３の円筒部３１の外周面に、壁部３４ａ、３４ｂができるように溝部３３を設けたことで、コック３を４５度程度回転させるだけで薬液の流れを止めることができ、従来と同様の操作性を維持することができる。
【００３６】
なお、コック３を基準位置から反時計回りに４５度程度回転させた場合（第１の状態）も、同様に、上流ポート２２、下流ポート２３および側管用ポート２４では、薬液が流れない。
【００３７】
また、コック３を基準位置から反時計回りに１３５度程度回転させた場合（第３の状態）、上流ポート２２が壁部３４ｃにより閉塞され、側管用ポート２４が壁部３４ｃにより閉塞され、下流ポート２３が壁部３４ａにより閉塞される。
【００３８】
また、コック３を基準位置から時計回りに１８０度程度回転させた場合（第４の状態）、上流ポート２２が下流ポート２３対応溝と連通し、側管用ポート２４が壁部３４ｃにより閉塞され、下流ポート２３が上流ポート２２対応溝と連通することにより、上流ポート２２が下流ポート２３と連通する。
【００３９】
また、コック３を基準位置から反時計回りに１３５度程度回転させた場合（第５の状態）、上流ポート２２が壁部３４ｂにより閉塞され、側管用ポート２４が壁部３４ｃにより閉塞され、下流ポート２３が壁部３４ｃにより閉塞される。
【００４０】
次に、１流路タイプのコック３ａ，３について説明する。図５（ａ）（ｂ）に示すように、コック３は、ユーザが回転操作するハンドル３２と、本体２の筒状部２１に回転自在に収容される円筒部３１ａ，３１と、円筒部３１ａの外周面に沿って設けられた溝部３３Ａ，３３と、を有している。
【００４１】
溝部３３Ａは、縦溝３３ｊ（第１流路溝、上流ポート対応溝）、縦溝３３ｋ（第１流路溝、第２流路溝、第１側管用ポート対応溝（凸部３３ｋａよりも上流側）、第２側管用ポート対応溝（凸部３３ｋａよりも下流側））、縦溝３３ｌ（第２流路溝、下流ポート対応溝）と、円周溝３３ｍ（第１流路溝、第１円周溝）、円周溝３３ｎ（第２流路溝、第２円周溝）とから構成され、全体として略「５」の字形状となっている。
【００４２】
つまり、縦溝３３ｊと縦溝３３ｋとの間の外周面が少なくとも上流ポート２２を閉塞できる大きさおよび位置の壁部３４ｄ（第１壁部）となるように、円周溝３３ｍは、円筒部３１ａの軸方向の片側（一端側）に迂回して配置される。
同様に、縦溝３３ｋと縦溝３３ｌとの間の外周面が少なくとも下流ポート２３を閉塞できる大きさおよび位置の壁部３４ｅ（第２壁部）となるように、円周溝３３ｎは、円筒部３１の軸方向の片側（他端側）に迂回して配置される。
【００４３】
したがって、前記した条件を満たす壁部３４ｄおよび壁部３４ｅを形成できるのであれば、各溝は、直線状でなくても、一部もしくは全部が曲線状であってもよい。なお、円筒部３１ａの外周面において、溝部３３Ａのない半周部分には壁部３４ｆ（第３壁部）が形成されている。
【００４４】
なお、２流路タイプのコック３（図１（ｂ）参照）の場合と同様、コック３ａの回転によって、壁部３４ｄは上流ポート２２だけでなく下流ポート２３も閉塞することができ、壁部３４ｅは下流ポート２３だけでなく上流ポート２２も閉塞することができる。
【００４５】
また、縦溝３３ｋの中央部には、上流ポート２２からの薬液を側管用ポート２４側に、より誘導する凸部３３ｋａ(第１リブ）が設けられている。また、このリブは縦溝３３ｋの中央部を浅く形成することで実現してもよい。
【００４６】
次に、医療用活栓１（本体２とコック３ａ）の内部を流通する薬液の流れについて説明する。まず、図６を参照して、３ポート（上流ポート２２、下流ポート２３および側管用ポート２４）とも開通している場合について説明する。
【００４７】
コック３が基準位置の場合、図６（ａ）（ｃ）に示すように、上流ポート２２を筒状部２１に向かって流れる薬液は、流路端２２１から縦溝３３ｊに入り、円周溝３３ｍおよび縦溝３３ｋを進み、縦溝３３ｋの凸部３３ｋａの手前（流れ方向の手前）から側管用ポート２４に進入する。
【００４８】
続いて、図６（ｂ）（ｃ）に示すように、薬液は、側管用ポート２４から縦溝３３ｋの凸部３３ｋａの奥（流れ方向の奥）に入り、円周溝３３ｎおよび縦溝３３ｌを進み、流路端２３１から下流ポート２３に入る。
【００４９】
このように、上流ポート２２から下流ポート２３に流れる薬液が側管用ポート２４内も経由するようにしたことで、医療用活栓１内部（特に側管用ポート２４内）の薬液の滞留を従来よりも減らすことができる。
また、上流ポート２２からの薬液が、凸部３３ｋａによって側管用ポート２４側に、より誘導されることで、側管用ポート２４内の薬液の滞留をさらに減らすことができる。
【００５０】
次に、図７を参照して、側管用ポートと下流ポートだけが開通している場合の薬液の流れについて説明する。
【００５１】
コック３ａを基準位置から反時計回りに９０度回転させた場合（第２の状態）、図７（ａ）（ｃ）に示すように、上流ポート２２では、流路端２２１が壁部３４ｆで閉塞されているため、薬液が流れない。一方、図７（ｂ）（ｃ）に示すように、側管用ポート２４の内部に入った薬液は、縦溝３３ｊに入り、円周溝３３ｍおよび縦溝３３ｋを進み、流路端２３１から下流ポート２３に入る。
【００５２】
次に、図８を参照して、コック３ａを時計回りに４５度程度回転させて薬液の流れを止める場合について説明する。
【００５３】
コック３ａを基準位置から時計回りに４５度程度回転させた場合（第６の状態）、図８（ａ）（ｃ）に示すように、上流ポート２２では、流路端２２１が壁部３４ｄで閉塞されているため、薬液が流れない。また、図８（ｂ）（ｃ）に示すように、下流ポート２３でも、流路端２３１が壁部３４ｆで閉塞されているため、薬液が流れない。また、図８（ａ）〜（ｃ）に示すように、側管用ポート２４でも、流路端２４１が壁部３４ｅで閉塞されているため、薬液が流れない。つまり、コック３の円筒部３１の外周面に、壁部３４ｄ、３４ｅができるように溝部３３Ａを設けたことで、コック３ａを４５度程度回転させるだけで薬液の流れを止めることができ、従来と同様の操作性を維持することができる。
【００５４】
なお、コック３ａを反時計回りに４５度程度回転させた場合（第１の状態）も、同様に、上流ポート２２、下流ポート２３および側管用ポート２４では、薬液が流れない。
また、第３の状態〜第５の状態については、２流路タイプのコック３（図１（ｂ）参照）の場合と同様であるので、説明を省略する。
【００５５】
次に、本体２の変形例について、図９を参照して説明する。図９（ａ）に示すように、本体２ａ，２は、図１（ａ）に示す本体２に対して、側管用ポート２４内にリブ２６（第２リブ）（およびその周辺部材）を備えた構成となっている。この本体２ａとコック３ａ（図５参照）を組み合わせた医療用活栓１ａ，１は、図９（ｂ）に示す通りである。図９（ｂ）のＧ−Ｇ断面図である図９（ｃ）に示すように、薬液は、縦溝３３ｋを右から左に流れるとき、凸部３３ｋａによって側管用ポート２４側に、より誘導され、さらに、凸部３３ｋａの延長に位置しているリブ２６によって、側管用ポート２４内の、キャップ２５およびキャップ補助部材２５ａに保持される弁２７の近傍までさらに誘導され、その後、縦溝３３ｋに戻る。
【００５６】
このように、本実施形態の医療用活栓１によれば、コック３の円筒部３１の外周面に沿って前記した構造の溝部３３を設けることで、上流ポート２２から下流ポート２３に流れる薬液が側管用ポート２４内も経由するようになり、医療用活栓１内部（特に側管用ポート２４内）の薬液の滞留を従来よりも減らすことができる。また、コック３の円筒部３１の外周面に、前記した２つの壁部３４（「壁部３４ａ、３４ｂ」または「壁部３４ｄ、３４ｅ」）ができるように溝部３３を設けることで、コック３を４５度程度回転させるだけで薬液の流れを止めることができ、従来と同様の操作性を維持することができる。
【００５７】
また、上流ポート２２からの薬液が、中央溝３３ｉまたは凸部３３ｋａによって、側管用ポート２４側に、より誘導されることで、側管用ポート２４内の薬液の滞留をさらに減らすことができる。
【００５８】
また、上流ポート２２からの薬液が、凸部３３ｋａの延長に位置するリブ２６によって側管用ポート２４側にさらに誘導され、側管用ポート２４内の薬液の滞留をさらに減らすことができる。
【００５９】
以上で本実施形態の説明を終えるが、本発明の態様はこれらに限定されるものではない。
例えば、本実施形態では、筒状部２１を基準にして、上流ポート２２と下流ポート２３は、１８０度の角度をなしているが、９０度などの他の角度をなしていてもよい。その場合には、コック３の円筒部３１の外周面に、その角度に対応する溝部３３を設ければよい。
その他、各部や各手段の具体的な構成について、本発明の主旨を逸脱しない範囲で適宜変更が可能である。
【符号の説明】
【００６０】
１、１ａ  医療用活栓
２、２ａ  本体
３、３ａ  コック
２１    筒状部
２２    上流ポート
２３    下流ポート
２４    側管用ポート
２５    キャップ
２５ａ  キャップ補助部材
２６    リブ
２７    弁
３１、３１ａ  円筒部
３２    ハンドル
３３、３３Ａ  溝部
３４    壁部
２２１  流路端
２３１  流路端
【図１】
2012133100.tif 000003
【図２】
2012133100.tif 000004
【図３】
2012133100.tif 000005
【図４】
2012133100.tif 000006
【図５】
2012133100.tif 000007
【図６】
2012133100.tif 000008
【図７】
2012133100.tif 000009
【図８】
2012133100.tif 000010
【図９】
2012133100.tif 000011
【国際調査報告】
2012133100.tif 000012
2012133100.tif 000013
2012133100.tif 000014
2012133100.tif 000015